(57)【特許請求の範囲】
【請求項１】
賞球受皿に放出された賞球を賞球誘導樋によりパチンコ遊技機の背面へ誘導し、この賞球を計数装置により計数するようにしたパチンコ遊技機の賞球回収装置において、
前記賞球誘導樋の内部の賞球回収路に障壁段差が形成されており、
前記賞球誘導樋の前記賞球回収路は、前記賞球受皿から流入する賞球の導入口から流下方向へ向かう急峻な上り勾配の傾斜部および緩慢な下り勾配の傾斜部が連続して形成され、前記急峻な上り勾配の傾斜部が前記障壁段差であり、
前記賞球誘導樋の前記賞球回収路の任意の位置に賞球を検知するための賞球検知センサーを配設してあり、
前記賞球回収路は、底板から一定の間隔で起立している両側の側板の間において、前記底板から起立している板の上端縁面によって規定されており、
前記賞球誘導樋の導入口と前記賞球受皿の賞球排出口との間に、前記賞球回収路の流下方向へ賞球を付勢して給送する弾発機構を備えたことを特徴とするパチンコ遊技機の賞球回収装置。
【請求項２】
前記賞球検知センサーは、前記賞球回収路における前記緩慢な下り勾配の傾斜部に配設したことを特徴とする請求項１に記載のパチンコ遊技機の賞球回収装置。
【請求項３】
前記弾発機構は前記賞球受皿から流入する賞球を個々に付勢するようにしたものであることを特徴とする請求項１または２に記載のパチンコ遊技機の賞球回収装置。
【請求項４】
前記弾発機構が振り子状に転動する転動子により構成されていることを特徴とする請求項１または２に記載のパチンコ遊技機の賞球回収装置。
【発明の詳細な説明】
【技術分野】
【０００１】
本発明は、パチンコ遊技機において貯留した賞球の回収装置に関するもので、賞球の回収にあたり、賞球を計数するための賞球検知センサーに対する不正行為を防止できるようにしてセキュリティ性を向上するようにしたものである。
【背景技術】
【０００２】
一般にパチンコ遊技機において遊技者が獲得した賞球は賞球容器に貯留され、これを賞球計数装置あるいは景品交換所へ運び、所望の景品と交換するようにしている。ところが、賞球の獲得量が大きい場合は、これに比例して重量が嵩み運搬作業に大きな労力を必要とするものであった。また、賞球が賞球容器に貯留されていると、この賞球はパチンコ遊技機の稼動対象とはならなくなることから、遊技場の賞球の総量が増加するという問題があった。
【０００３】
そこで、遊技者が獲得した賞球をパチンコ遊技機の背面に誘導して排出するとともに、同時に賞球の数量を計数してその計数値を記録したカードを発券機から遊技者に提供し、遊技者がそのカードを景品交換所へ提出するようにしたシステムが提案されている。このようなシステムによれば、遊技者は重い賞球容器を運ぶ手間が省けるとともに、遊技場の賞球の総量を削減できるという利点が得られる。
【０００４】
したがって、かかるシステムの場合は、賞球をパチンコ遊技機の背面に誘導する構成、およびパチンコ遊技機の背面で賞球を計数する機能が必要となる。これらの機能を果たす機構要素はパチンコ遊技機とは別途に配設されるものであり、通常、賞球受皿に開口して接続された樋状の誘導手段により賞球をパチンコ遊技機の背面へ導くようにしている（例えば、特許文献１）。
【特許文献１】実用新案登録第２５９６０００号公報
【発明の開示】
【発明が解決しようとする課題】
【０００５】
上記特許文献１に開示された構成では、賞球受皿に賞球を計数装置へ導く案内腕が接続されており、この案内腕の排出ノズルから落下する賞球を検知して計数するようにしている。賞球を検知する検知センサーは、金属である賞球を電気的に検知するものが採用されており、このような構成の場合、検知センサーを外部から意図的に作動し、計数値を歩進させる不正手段が可能となる。
【０００６】
即ち、図９に示すように従来の賞球回収装置の賞球受皿１００には、賞球Ｂが流入する開口部１００ａに賞球誘導樋１０１が接続され、この賞球誘導樋１０１の先端のノズル部１０１ａから流入した賞球Ｂが賞球検知センサー１０２により検知され計数装置により計数される。このように構成される賞球誘導樋１０１は賞球Ｂが円滑に流れ、玉詰まりにより賞球Ｂの流れが停止してしまうなどの不具合が発生しないようにしなければならない。
【０００７】
このため、賞球誘導樋１０１は賞球検知センサー１０２に至るまでの間が滑らかなスロープであることが望ましいことになる。したがって、このように構成される賞球回収装置では、賞球受皿１００の開口部１００ａからノズル部１０１ａまでに障害となるものが介在しないため、同図に示すように柔軟性のある金属棒状体Ｗ（先端に金属球を備えるものもある）が容易に差し込まれてしまうことがある。
【０００８】
このように金属棒状体Ｗを差し込んだ不正行為者は、この金属棒状体Ｗの先端を賞球検知センサー１０２の部分で往復動させ、賞球Ｂが通過する仮想の状態を現出し、計数装置を作動して計数を歩進させることになる。かかる不正行為は、賞球受皿１００から賞球検知センサー１０２まで円滑な流路としなければならないことによるもので、不正行為を効果的に防止できる手段が望まれているのが実情である。
【課題を解決するための手段】
【０００９】
そこで本発明は以下に述べる手段により上記課題を解決するようにした。即ち、賞球受皿に放出された賞球を賞球誘導樋によりパチンコ遊技機の背面へ誘導し、この賞球を計数装置により計数するようにしたパチンコ遊技機の賞球回収装置において、
前記賞球誘導樋の内部の賞球回収路に障壁段差が形成されており、
前記賞球誘導樋の前記賞球回収路は、前記賞球受皿から流入する賞球の導入口から流下方向へ向かう急峻な上り勾配の傾斜部および緩慢な下り勾配の傾斜部が連続して形成され、前記急峻な上り勾配の傾斜部が前記障壁段差であり、
前記賞球誘導樋の前記賞球回収路の任意の位置に賞球を検知するための賞球検知センサーを配設してあり、
前記賞球回収路は、底板から一定の間隔で起立している両側の側板の間において、前記底板から起立している板の上端縁面によって規定されており、
前記賞球誘導樋の導入口と前記賞球受皿の賞球排出口との間に、前記賞球回収路の流下方向へ賞球を付勢して給送する弾発機構を備えたことを特徴とする。
【００１０】
また、本発明において、前記賞球検知センサーは、前記賞球回収路における前記緩慢な下り勾配の傾斜部に配設したことを特徴とする。
【００１５】
この場合、弾発機構は賞球受皿から流入する賞球を個々に付勢するようにする。
【００１６】
また、この場合において、弾発機構が振り子状に転動する転動子で構成されているようにする。
【発明の効果】
【００１７】
本発明によれば、賞球受皿から金属棒状体を差し込むような不正行為がなされても、賞球誘導樋の導入口と賞球受皿の賞球排出口との間に設けられた弾発機構および賞球誘導樋に形成された案内溝の急峻な上り勾配の傾斜部が障壁段部となり、さらに弾発機構が存在することにより、金属棒状体の進入が阻まれ、金属棒状体の先端が賞球検知センサーに達するのを阻止することができ、セキュリティ性を向上することができる。
【発明を実施するための最良の形態】
【００１８】
本発明は、賞球受皿から流入する賞球の導入口から流下方向へ向かう急峻な上り勾配の傾斜部および緩慢な下り勾配の傾斜部が連続して形成された賞球回収路を有する賞球誘導樋、および賞球受皿から流入する賞球を付勢して前記賞球回収路に給送する弾発機構を主体に構成するもので、以下、図に示すかかる構成の実施例を詳細に説明する。
【００１９】
図１は、本発明の賞球回収装置Ａをパチンコ遊技機Ｐの下辺であって架台天板上に配設した状態を示すもので、パチンコ遊技機Ｐの側辺には玉貸機Ｃが配設される。賞球回収装置Ａは、賞球受皿１０および賞球受皿１０に連設された賞球誘導樋２０を備える。
【００２０】
前記賞球受皿１０には図２に示すように、中央に向かう下り勾配の傾斜面１１が形成されており、底部には賞球誘導樋２０へ向かう下り勾配の案内溝１２が形成されている。したがって、パチンコ遊技機Ｐの賞球貯留部Ｐ１に貯留した賞球Ｂは、玉抜きレバーＬＢを操作することにより賞球受皿１０に放出され、案内溝１２に導かれて賞球誘導樋２０へ流下する。
【００２１】
前記賞球受皿１０は架台天板上に配設するが、高さ調整脚１０ａを備えておくことにより、高さ方向の微調整が可能となる。また、前記傾斜面１１に弾性シートを貼設しておくことにより、落下する賞球Ｂの飛散および騒音を低下することができる。さらに、賞球受皿１０の開口部に、内側に反って賞球Ｂを内部に戻す逆止片１０ｂを形成しておくことにより、賞球Ｂの外部への飛散を防止することができる。
【００２２】
賞球誘導樋２０は先端が円弧状に形成されており、外壁を除去した状態の図３に示すように、内部に２条の賞球回収路２１が形成されている。この賞球回収路２１は、賞球誘導樋２０の導入口２０ａの底面付近から賞球の流下方向へ向かう急峻な上り勾配の傾斜部２１ａおよび緩慢な下り勾配の傾斜部２１ｂが連続して形成されている。
【００２３】
賞球誘導樋２０の導出口２０ｂは、玉貸機Ｃ内に配設される排出樋３０に連設されており、賞球誘導樋２０から流下した賞球Ｂは排出樋３０の先端から排出され、回収されることになる。なお、賞球誘導樋２０の導出口２０ｂにはキーロック機構２２を備え、玉貸機Ｃへの着脱が可能となるようにしている。また、賞球回収路２１には賞球検知センサー４０が配設されており、賞球回収路２１を通過する賞球Ｂを検知し、その検知信号を計数装置に送出する。
【００２４】
さらに、賞球誘導樋２０の導入口２０ａと賞球受皿１０の賞球排出口１３との間には、賞球回収路２１の流下方向へ賞球Ｂを付勢して給送する弾発機構５０を設ける。この弾発機構５０は、図４に示すように賞球受皿１０から流下したし賞球Ｂの受止部５１ａと賞球Ｂに付勢力を与える弾発部５１ｂが一体に形成された転動子５１を主体に構成されている。
【００２５】
前記転動子５１は支軸５２に固定されており、さらにこの支軸５２はクランク板５３に固定されている。そして、このクランク板の一方の端部には引張コイルバネ５４が張設されており、他方の端部には電磁ソレノイド５５のロッド５５ａの先端が固定されている。かかる構成により、電磁ソレノイド５５に電流が流されると、そのロッド５５ａが牽引されて支軸５２が回転して転動子５１が転動し、電流の流れを遮断すると引張コイルバネ５４の張力により転動子５１は初期位置に復帰することになり、転動子５１は振り子状に転動することになる。
【００２６】
弾発機構５０はこのように構成されていることから、図５に示すように流下した先位の賞球Ｂは、転動子５１の受止部５１ａで一旦受け止められ、その後、電磁ソレノイド５５に電流が流されて図６に示す状態に転動子５１が転動すると、先位の賞球Ｂは転動子５１の弾発部５１ｂへ移動する。そして、この状態で電磁ソレノイド５５への通電を停止して転動子５１が初期位置に復帰すると、図４に示すごとく先位の賞球Ｂは弾発部５１ｂ上に位置し、後位の賞球Ｂは受止部５１ａ上に位置して流下が規制された状態となる。
【００２７】
かかる状態から再び電磁ソレノイド５５が通電されると、これに伴って転動子５１が転動することから図７に示すように先位の賞球Ｂは撥ねられるように付勢されて賞球回収路２１の傾斜部２１ａを遡上し、賞球検知センサー４０を作動して傾斜部２１ｂを流下する。これと同時に後位の賞球Ｂは受止部５１ａが後退して支持状態が解除されることから、同図に示すように弾発部５１ｂ上に落下する。
【００２８】
なお、前記弾発機構５０には電磁ソレノイド５５を採用する例を示したが、図８に示すようにステッピングモータ５６に回転駆動されるカム部材５７によりクランク板５３を駆動してもよい。そして、弾発機構５０の動作タイミングは、例えば、玉抜きレバーＬＢに応動するスイッチを設け、玉抜きレバーＬＢの操作に伴ってこのスイッチが作動したとき駆動が開始され、賞球検知センサー４０からの検知信号が途絶えた段階で駆動を停止すればよく、弾発機構５０を常時駆動する必要はない。
【００２９】
また、賞球検知センサー４０の検知信号を計数装置６０が計数し、その計数値を賞球回収装置Ａに設けた表示器ＣＤにより積算表示することにより、遊技者が賞球Ｂの獲得量を把握することができる。さらに、賞球受皿１０の前面に発光素子（ＬＥＤ）を配設し、賞球Ｂの計数が行われている間、この発光素子を点滅させることにより、遊技者に対し賞球の回収が確かに行われているという認識を与えるとともに電飾効果が得られる。
【００３０】
このように賞球Ｂは転動子５１の所定の動作周期で個々に弾発されるので確実な給送が可能となり、複雑な形態となる賞球回収路２１においても玉詰まりの懸念を払拭することができる。また、賞球受皿１０の賞球排出口１３から弾発機構５０を介して賞球回収路２１へ至る経路が、一旦降下して上昇する複雑な流路となる。
【００３１】
したがって、賞球排出口１３から金属棒状体が差し込まれた場合においても、この複雑な流路を進入することになり、急峻な傾斜部２１ａが障壁段差となり金属棒状体を賞球検知センサー４０に達するまで挿入することが困難となる。さらに本発明では、賞球Ｂの流路中に弾発機構５０を設けたので、この機構要素に金属棒状体の先端が接触し、更に挿入が困難なものとなりセキュリティ性を確実なものとすることができる。
【図面の簡単な説明】
【００３２】
【図１】本発明の賞球回収装置をパチンコ遊技機に配設した状態を示す図である。
【図２】本発明の賞球回収装置の外観を示す図である。
【図３】本発明の賞球回収装置の構成の概要を示す図である。
【図４】本発明の賞球回収装置の要部の構成および動作態様を示す図である。
【図５】本発明の賞球回収装置の要部の構成および動作態様を示す図である。
【図６】本発明の賞球回収装置の要部の構成および動作態様を示す図である。
【図７】本発明の賞球回収装置の要部の構成および動作態様を示す図である。
【図８】本発明の賞球回収装置の弾発機構の他の例を示す図である。
【図９】従来の賞球回収装置の構成を説明する図である。
【符号の説明】
【００３３】
Ａ・・・・・・賞球回収装置
Ｂ・・・・・・賞球
Ｃ・・・・・・玉貸機
Ｐ・・・・・・パチンコ遊技機
１０・・・・・賞球受皿
２０・・・・・賞球誘導樋
２０ａ・・・・導入口
２０ｂ・・・・導出口
２１・・・・・賞球回収路
２１ａ・・・・傾斜部
２１ｂ・・・・傾斜部
２２・・・・・キーロック機構
３０・・・・・排出樋
４０・・・・・賞球検知センサー
５０・・・・・弾発機構
５１・・・・・転動子
５１ａ・・・・受止部
５１ｂ・・・・弾発部
５２・・・・・支軸
５３・・・・・クランク板
５４・・・・・引張コイルバネ
５５・・・・・電磁ソレノイド
５６・・・・・ステッピングモータ
６０・・・・・計数装置
【図１】
0005384821.tif 000002
【図２】
0005384821.tif 000003
【図３】
0005384821.tif 000004
【図４】
0005384821.tif 000005
【図５】
0005384821.tif 000006
【図６】
0005384821.tif 000007
【図７】
0005384821.tif 000008
【図８】
0005384821.tif 000009
【図９】
0005384821.tif 000010